(57)【要約】【課題】パプリカの栽培を行う際に、苗木が生育しても茎が損傷することのないパプリカ育苗ポット用カバーとパプリカ栽培具を提供すること。【解決手段】外表面のいずれか一面の中央位置にパプリカ苗木３０のセット凹部２２が形成されたパプリカ育苗ポット２０に装着して用いられるパプリカ育苗ポット用カバー１０であって、セット凹部２２との対向面にはパプリカ苗木３０の茎３４を挿通させるための開口部１６がセット凹部２２の平面位置に対してオフセットさせた平面位置に形成されていると共に、開口部１６の外側位置に複数の液体供給部１８が設けられていることを特徴とするパプリカ育苗ポット用カバー１０である。【選択図】図１
2020005611.tif 000002
【特許請求の範囲】
【請求項１】
外表面のいずれか一面の中央位置にパプリカ苗木のセット凹部が形成されたパプリカ育苗ポットに装着して用いられるパプリカ育苗ポット用カバーであって、
前記セット凹部との対向面には前記パプリカ苗木の茎を挿通させるための開口部が前記セット凹部の平面位置に対してオフセットさせた平面位置に形成されていると共に、前記開口部の外側位置に複数の液体供給部が設けられていることを特徴とするパプリカ育苗ポット用カバー。
【請求項２】
前記液体供給部は、液肥および水分を前記パプリカ育苗ポットに供給する液体供給管を前記パプリカ育苗ポット用カバーの厚さ方向に貫通させる貫通部と、前記貫通部の外周を囲むダムバーがそれぞれ形成されていることを特徴とする請求項１記載のパプリカ育苗ポット用カバー。
【請求項３】
外表面のいずれか一面にパプリカ苗木のセット凹部が形成されたパプリカ育苗ポットと、
前記パプリカ育苗ポットに装着して用いられ、前記セット凹部との対向面に前記パプリカ苗木の茎を挿通させるための開口部が前記セット凹部の平面位置に対してオフセットさせた平面位置に形成されていると共に、前記開口部の外側位置に複数の液体供給部が設けられたパプリカ育苗ポット用カバーと、を具備することを特徴とするパプリカ栽培具。
【請求項４】
前記液体供給部は、液肥および水分を前記パプリカ育苗ポットに供給する液体供給管を前記パプリカ育苗ポット用カバーの厚さ方向に貫通させる貫通部と、前記貫通部の外周を囲むダムバーがそれぞれ形成されていることを特徴とする請求項３記載のパプリカ栽培具。
【請求項５】
前記セット凹部は、前記セット凹部が形成されている前記外表面の中央位置からオフセットした平面位置に設けられていることを特徴とする請求項３または４記載のパプリカ栽培具。
【発明の詳細な説明】
【技術分野】
【０００１】
本発明はパプリカ育苗ポット用カバー、パプリカ栽培具に関する。
【背景技術】
【０００２】
農作物の栽培を行うにあたっては、側周面が被覆または容器により覆われ上面が被覆なされていないロックウールポットが用いられることがある。このようなロックウールポットを用いた農作物の栽培においては、ロックウールポットの上面に藻が発生する不具合や、上面から害虫等が侵入するといった不具合がある。このような不具合を解消するためにロックウールポットの上面をカバーにより覆う構成が特許文献１（実開平５−２９３６０号公報）等によって提案されている。
【０００３】
特許文献１に開示されているカバーの構成は、ロックウールポットの上面を覆いながらもロックウールポットにセットした農作物の苗木の茎を挿通させるための開口部（孔）が形成されているため、ロックウールポットの上面における露出範囲は必要最小限にすることができる。
【先行技術文献】
【特許文献】
【０００４】
【特許文献１】実開平５−２９３６０号公報（請求項１，２と図４等）
【発明の概要】
【発明が解決しようとする課題】
【０００５】
ところで、パプリカの苗木５は、単純に茎６を上向きにしてロックウールにより形成された育苗ポット２の上面３の中央部分に形成されたセット凹部２Ａにセットして栽培すると、幼木の時期において茎６の部分の乾燥状態と湿潤状態が繰り返され、茎６が腐って損傷しまう不具合が生じる。このため、図７に示すように、苗木５（幼苗）を育苗ポット２のセット凹部２Ａに横向け又は下向けにしてセットすることで、幼木の時期における茎６を常時湿潤状態にすることで茎６の損傷を防ぐことができる。
【０００６】
しかしながら、特許文献１のカバー１の開口部４は、育苗ポット２のセット凹部２Ａの真上となる位置に形成されている。このためパプリカの苗木５から上向きに成長した茎６は、開口部４の中央部分ではなく開口部４の平面中央位置から水平方向にオフセットした位置（偏心位置）に挿通することになる。このような状態で苗木５が生育して茎６が太くなると茎６が開口部４の内周縁と干渉して茎６に損傷が生じ、場合によっては苗木５が枯れてしまうといった課題がある。
【課題を解決するための手段】
【０００７】
そこで本発明は、育苗ポットを用いて育苗ポットの上面の露出を最小限に抑えた状態でパプリカの栽培を行う際に、パプリカ苗木が太く生育してもパプリカの茎が損傷することのないパプリカ育苗ポット用カバーとパプリカ栽培具の提供を目的とする。
【０００８】
上記課題を解決するため本出願の発明者が鋭意研究した結果、以下の構成に想到した。すなわち、本発明は、外表面のいずれか一面の中央位置にパプリカ苗木のセット凹部が形成されたパプリカ育苗ポットに装着して用いられるパプリカ育苗ポット用カバーであって、前記セット凹部との対向面には前記パプリカ苗木の茎を挿通させるための開口部が前記セット凹部の平面位置に対してオフセットさせた平面位置に形成されていると共に、前記開口部の外側位置に複数の液体供給部が設けられていることを特徴とするパプリカ育苗ポット用カバーである。
【０００９】
これにより、育苗ポットのセット凹部にパプリカ苗木を横向きまたは下向きにセットした状態でパプリカ苗木を生育させても、パプリカの茎を開口部の中央部分に挿通させることができる。すなわち、パプリカ苗木が生育してもパプリカの茎が開口部と干渉せず、茎の損傷を防ぐことができる。
【００１０】
また、前記液体供給部は、液肥および水分を前記パプリカ育苗ポットに供給する液体供給管を前記パプリカ育苗ポット用カバーの厚さ方向に貫通させる貫通部と、前記貫通部の外周を囲むダムバーがそれぞれ形成されていることが好ましい。
【００１１】
これにより、液体供給部の先端部を本物品に貫通させた部分から液肥や水分の漏出を防止することができる。
【００１２】
また、外表面のいずれか一面にパプリカ苗木のセット凹部が形成されたパプリカ育苗ポットと、前記パプリカ育苗ポットに装着して用いられ、前記セット凹部との対向面に前記パプリカ苗木の茎を挿通させるための開口部が前記セット凹部の平面位置に対してオフセットさせた平面位置に形成されていると共に、前記開口部の外側位置に複数の液体供給部が設けられたパプリカ育苗ポット用カバーと、を具備することを特徴とするパプリカ栽培具とすることもできる。
【００１３】
これにより、育苗ポットのセット凹部にパプリカ苗木を横向きまたは下向きにセットした状態でパプリカ苗木を生育させても、パプリカの茎を開口部の中央部分に挿通させることができる。すなわち、パプリカ苗木が生育してもパプリカの茎が開口部と干渉せず、パプリカの茎の損傷を防ぐことができる。
【００１４】
また、前記液体供給部は、液肥および水分を前記パプリカ育苗ポットに供給する液体供給管を前記パプリカ育苗ポット用カバーの厚さ方向に貫通させる貫通部と、前記貫通部の外周を囲むダムバーがそれぞれ形成されていることが好ましい。
【００１５】
これにより、液体供給部の先端部を本物品に貫通させた部分から液肥や水分の漏出を防止することができる。
【００１６】
また、前記セット凹部は、前記セット凹部が形成されている前記外表面の中央位置からオフセットした平面位置に設けられていることが好ましい。
【００１７】
これにより、育苗ポットのセット凹部にパプリカ苗木を横向きまたは下向きにセットした状態でパプリカ苗木を生育させる際に従来技術における育苗ポット用カバーを用いても、パプリカの茎を開口部の中央部分に挿通させることができる。すなわち、パプリカ苗木が生育してもパプリカの茎が開口部と干渉せず、パプリカの茎の損傷を防ぐことができる。
【発明の効果】
【００１８】
本発明におけるパプリカ育苗ポット用カバー、パプリカ栽培具の構成を採用することにより、育苗ポットのセット凹部にパプリカ苗木を横向きまたは下向きにセットした状態でパプリカ苗木を生育させても、パプリカの茎を開口部の中央部分に挿通させることができる。すなわち、パプリカ苗木が生育してもパプリカの茎が開口部と干渉せず、パプリカの茎の損傷を防ぐことができ、パプリカの生産性を高めることができる。
【図面の簡単な説明】
【００１９】
【図１】本実施形態におけるパプリカ育苗ポット用カバーの平面図である。
【図２】図１中のＩＩ−ＩＩ線における断面図である。
【図３】図１中のＩＩＩ−ＩＩＩ線における断面図である。
【図４】パプリカ苗木をパプリカ育苗ポットにセットし、図１に示すパプリカ育苗ポット用カバーと液体供給管を装着した状態を示す概略断面図である。
【図５】第２実施形態におけるパプリカ育苗ポットの斜視図である。
【図６】パプリカ苗木を図５に示すパプリカ育苗ポットにセットし、従来技術のパプリカ育苗ポット用カバーを装着した状態を示す図４相当図面である。
【図７】従来技術におけるパプリカ育苗ポット用カバーを用いた図４相当図面である。
【発明を実施するための形態】
【００２０】
以下、本発明におけるパプリカ育苗ポット用カバーについて実施形態に基づきながら詳細に説明する。
【００２１】
（第１実施形態）
本実施形態におけるパプリカ育苗ポット用カバー１０は、図１および図２に示すように、平面視矩形状の平面部１２と平面部１２の外周縁に沿って起立する側壁部１４を有する蓋体に形成されている。平面部１２には平面部１２の板厚方向に貫通する開口部１６と、開口部１６の外側位置に液肥や水分を補給するための液体供給部１８が複数箇所に設けられている。このようなパプリカ育苗ポット用カバー１０は、ポリエチレン、ポリプロピレン、ポリエチレンテレフタレート等の合成樹脂により形成することができるが、これらの材質に限定されるものではない。
【００２２】
側壁部１４は、パプリカ育苗ポット用カバー１０を後述するパプリカ育苗ポット２０（図４参照）への装着後に、パプリカ育苗ポット２０から容易に外れてしまうことがないようにパプリカ育苗ポット２０の外表面に所要高さ範囲にわたって当接している。側壁部１４の高さ寸法は特に限定されるものではないが、パプリカ育苗ポット２０の上面の一辺の長さが１０ｃｍである場合には２．５ｃｍ程度の高さに形成されていればよい。
【００２３】
開口部１６は、平面部１２の平面中央位置（パプリカ育苗ポット２０のセット凹部２２の平面位置）に対してオフセットされた平面位置が中心点となるように形成されている。本実施形態における平面部１２の平面中央位置から開口部１６の中心点までのオフセット距離は、パプリカ苗木３０の培養体３２の幅寸法に５ｃｍ程度を加えた距離（パプリカ苗木３０が生育した際におけるパプリカの茎３４の中心軸（中央位置）にした。開口部１６の外周縁にはパプリカの茎３４の保護や取扱者の指の怪我を防止するための肉厚部１６Ａを形成してもよい。
【００２４】
液体供給部１８は、平面部１２における開口部１６の外側位置の複数箇所に形成されている。本実施形態においては、平面部１２の四隅の全てに液体供給部１８を形成した。図１〜図３に示すように、本実施形態における液体供給部１８は、平面視円形の凹面形状をなす貫通部１８Ａと貫通部１８Ａの外周縁に沿って所要寸法幅で上側に突出するダムバー１８Ｂを有している。このように本実施形態における液体供給部１８は、貫通部１８Ａが平面部１２の上面から下側に窪んでいると共に貫通部１８Ａの外周縁がダムバー１８Ｂにより嵩上げされた状態になっている。本実施形態では、４箇所に設けられた液体供給部１８の貫通部１８Ａはすべて閉塞した状態になっている。使用者は、任意に選択した貫通部１８Ａに液体供給管４０を刺すことで液体供給管４０により貫通部１８Ａを貫通させている。したがって、液体供給管４０が差し込まれていない貫通部１８Ａはパプリカ育苗ポット２０の上面を被覆した状態を維持する。
【００２５】
液体供給管４０（図４参照）を貫通部１８Ａに差し込んでパプリカ育苗ポット２０に液体としての液肥や水分を供給する際に、液体供給部１８と液体供給管４０との隙間部分から液体が漏出しても、液体は貫通部１８Ａの窪み部分に貯留でき、ダムバー１８Ｂにより貫通部１８Ａの平面領域外への流出を防止することができる。
【００２６】
また本実施形態においては、図１に示すように、開口部１６の肉厚部１６Ａと液体供給部１８のダムバー１８Ｂとを連結部１２Ａにより一体となるように連結させることで、パプリカ育苗ポット用カバー１０の形状保持性や機械的強度の向上を実現させている。
【００２７】
パプリカ育苗ポット２０に本実施形態におけるパプリカ育苗ポット用カバー１０を装着したパプリカ栽培具１００によるパプリカの栽培方法について説明する。本実施形態におけるパプリカ栽培具１００は、図４に示すように、パプリカ育苗ポット用カバー１０と保水性材料により立方体状に形成されたパプリカ育苗ポット２０を具備している。なお、図示はしていないが、パプリカ育苗ポット２０は収容容器に収容されるか、側周面および底面をフィルムにより被覆されることにより、上面のみが露出した状態になっている。パプリカ栽培具１００への水分および液肥の供給は、液体供給部１８に液体供給管４０を差し込み、図示しないポンプ等により液体供給管４０から送液することにより行うことができる。
【００２８】
パプリカ育苗ポット２０の外表面の一面である上面の平面中央位置には、パプリカ苗木３０をセットするセット凹部２２が形成されている。セット凹部２２の形状は特に限定されるものではないが、半球形状や直方体または立方体状に形成することが好ましい。セット凹部２２の深さは特に限定されるものではないが、セット凹部２２にセットすべきパプリカ苗木３０の培養体３２の高さ寸法と同程度であることが好ましい。
【００２９】
まず、本実施形態におけるパプリカ栽培具１００のパプリカ育苗ポット２０のセット凹部２２にパプリカ苗木３０を横向きまたは下向きにした状態でセットする。次にパプリカ苗木３０の茎３４を上向きにしたときの茎３４の中心位置（中心軸位置）に合わせて開口部１６の平面中央位置（中心位置）を位置合わせしてパプリカ育苗ポット用カバー１０を装着する。そして公知の手法に基づいてパプリカ苗木３０を生育させる。
【００３０】
パプリカ苗木３０が生育すると、パプリカ育苗ポット用カバー１０において、セット凹部２２の平面中央位置（中心位置）から水平面内にオフセットした位置から上側に向かって茎３４が伸びることになる。本実施形態におけるパプリカ育苗ポット用カバー１０は、セット凹部２２との対向面において、茎３４が上側に向かって伸びる水平面内の位置に開口部１６の平面中央位置が位置するよう開口部１６の位置をセット凹部２２の水平面内位置からオフセットさせているので、開口部１６の平面中央位置にパプリカの茎３４を挿通させることができる。この状態で液体供給管４０から栽培に必要な液体である液肥や水分を適宜供給することでパプリカ苗木３０を生育させることができる。
【００３１】
パプリカ育苗ポット用カバー１０の平面部１２の角部の各々には、液体供給部１８が設けられているので、液体供給管４０は図示しない液体貯蔵タンクの位置に応じて適宜の位置に液体供給部１８に差し込むことができる。また、それぞれの液体供給部１８にはダムバー１８Ｂが形成されているので、液体供給管４０の差込部分との隙間から液肥や水分が漏れることがなく藻の発生を確実に防止することができ、パプリカ苗木３０に対する感染症等のリスクを大幅に低減させることができる。
【００３２】
このようにしてパプリカ苗木３０が順調に生育し、パプリカの茎３４が太くなっても、パプリカの茎３４が開口部１６と干渉してしまうことがなく、健全な状態を維持することができ、長期にわたるパプリカの栽培が可能になる点において好都合である。
【００３３】
（第２実施形態）
本実施形態においては、第１実施形態と同様の作用をするパプリカ栽培具１００を実現するためのパプリカ育苗ポット２０の構成について説明する。ここでは第１実施形態と同様の構成については、第１実施形態で用いた符号を図中に用いることで、詳細な説明を省略している。
【００３４】
図５に示すように本実施形態におけるパプリカ育苗ポット２０は、外表面の一部である上面のセット凹部２２がパプリカ育苗ポット２０の上面の平面中央位置からオフセットさせた平面位置に形成されている点が特徴である。このようなパプリカ育苗ポット２０を採用した場合、パプリカ育苗ポット２０に装着するパプリカ育苗ポット用カバー１０は、従来技術の構成である、セット凹部２２の直上位置である平面中央位置に開口部１６が形成されたパプリカ育苗ポット用カバー１０を採用することができる。
【００３５】
このようにすることで、パプリカ育苗ポット２０のセット凹部２２の平面位置に対してパプリカ育苗ポット用カバー１０の開口部１６の平面位置をオフセットさせた状態にすることができる。すなわち、本実施形態におけるパプリカ栽培具１００のパプリカ育苗ポット２０のセット凹部２２に、パプリカ苗木３０を横向きまたは下向きにセットすれば、パプリカの茎３４をパプリカ育苗ポット用カバー１０の開口部１６の平面中央位置に挿通させることができるのである。
【００３６】
本実施形態におけるパプリカ栽培具１００においても第１実施形態と同様に栽培方法を適用することができ、第１実施形態と同様の効果を得ることができる。すなわち本発明は、パプリカ育苗ポット２０のセット凹部２２とパプリカ育苗ポット用カバー１０の開口部１６は、互いの平面位置を所要距離オフセットさせている（ずらしている）ことが要点である。
【００３７】
以上の本発明について実施形態に基づいて詳細に説明したが、本発明は以上の実施形態に限定されるものではない。例えば以上の実施形態におけるパプリカ栽培具は直方体または立方体に形成されているが、多角形柱状体に形成してもよい。
【００３８】
また、以上の実施形態においては、開口部１６の内周縁に沿って肉厚部１６Ａを形成しているが、肉厚部１６Ａに代えていわゆるアール部に形成することの他、開口部１６の内周縁に沿って平面部１２の一部を上側に突出させた突出部に形成するようにしてもよい。
【００３９】
また、以上の実施形態においては、液体供給部１８において液体供給管４０を差し込む部分についての部材厚さについては特に限定していないが、平面部１２に部材厚さよりも液体供給部１８の液体供給管４０の差込部分の部材厚さを薄くしても良い。このようにすることで液体供給部１８への液体供給管４０の差込を容易に行うことができる点において好都合である。
【００４０】
そして以上の変形例の他、実施形態において説明した形態を適宜組み合わせた構成を採用することも可能である。
【符号の説明】
【００４１】
１  カバー，
２  育苗ポット，２Ａ  セット凹部，
３  上面，４  開口部，
５  苗木，６  茎，
１０  パプリカ育苗ポット用カバー，
１２  平面部，１４  側壁部，
１６  開口部，１６Ａ  肉厚部，
１８  液体供給部，１８Ｂ  ダムバー，
２０  パプリカ育苗ポット，２２  セット凹部，
３０  パプリカ苗木，３２  培養体，３４  茎，
４０  液体供給管，
１００  パプリカ栽培具
【図１】
2020005611.tif 000003
【図２】
2020005611.tif 000004
【図３】
2020005611.tif 000005
【図４】
2020005611.tif 000006
【図５】
2020005611.tif 000007
【図６】
2020005611.tif 000008
【図７】
2020005611.tif 000009